(57)【要約】【課題】  ホストコンピュータで表示しているドキュメント画像と同じ画像を、ホストコンピュータに接続された情報表示端末の表示部で最前面に表示する。【解決手段】  情報を表示する表示部１１０を備えた情報表示装置１０は、自身の履歴を示す日時データを含むドキュメントデータ２００を入力する通信手段１７０と、複数の前記ドキュメントデータ２００を記憶する記憶手段１７６と、それぞれの前記ドキュメントデータ２００が含む前記日時データの時間的な順序に基いて、前記表示部１１０で表示する順位を規定する順位規定手段１８２と、前記順位において最上位の前記ドキュメントデータ２００が示すドキュメント画像１３０を、前記表示部１１０の最前面に表示させる表示制御手段１８６とを備える。【選択図】      図１
2006146386.tif 000002
【特許請求の範囲】
【請求項１】
情報を表示する表示部を備えた情報表示装置であって、
ドキュメントデータを入力する入力手段と、
複数の前記ドキュメントデータを記憶する記憶手段と、
それぞれの前記ドキュメントデータが含むデータの履歴日時の時間的な順序に基いて、前記表示部で表示する順位を規定する順位規定手段と、
前記順位において最上位の前記ドキュメントデータが示すドキュメント画像を、前記表示部の最前面に表示させる表示制御手段とを備えることを特徴とする情報表示装置。
【請求項２】
請求項１に記載の情報表示装置において、
前記入力手段は、前記ドキュメントデータを一意に特定するデータと前記ドキュメントデータの更新または最終表示の日時とを含む情報データを更に入力すると共に、
前記順位規定手段は、前記ドキュメントデータを前記表示部に表示する順位を、前記データの履歴日時と前記更新または最終表示の日時との時間的な順序に基いて、更に規定することを特徴とする情報表示装置。
【請求項３】
請求項１乃至２に記載の情報表示装置において、
前記ドキュメントデータの入力を要求する信号を生成する信号生成手段と、
前記信号を送信する送信手段とを更に備えることを特徴とする情報表示装置。
【請求項４】
請求項３に記載の情報表示装置において、
前記信号生成手段は、前記記憶手段に記憶された前記ドキュメントデータが含む前記データの履歴日時と、当該ドキュメントデータを特定する前記情報データが含む前記更新または最終表示の日時との時間的な比較に基き、前記信号を生成することを特徴とする情報表示装置。
【請求項５】
請求項１乃至４のいずれか１項に記載の情報表示装置において、
前記記憶手段に記憶すべき前記ドキュメントデータが記憶可能になるまで、前記記憶手段に記憶されたデータを消去する記憶更新手段を更に備えることを特徴とする情報表示装置。
【請求項６】
請求項５に記載の情報表示装置において、
前記記憶更新手段は、前記順位が下位の前記ドキュメントデータから順次消去することを特徴とする情報表示装置。
【請求項７】
請求項１乃至６のいずれか１項に記載の情報表示装置において、
前記表示制御手段は、それぞれの前記ドキュメントデータが示すドキュメント画像を、前記順位の下位から上位に重畳して前記表示部に表示させることを特徴とする情報表示装置。
【請求項８】
請求項１乃至７のいずれか１項に記載の情報表示装置において、
前記ドキュメントデータは、所定の出力装置を駆動するデバイスドライバにより生成されることを特徴とする情報表示装置。
【請求項９】
請求項１乃至８のいずれか１項に記載の情報表示装置において、
前記表示部は、記憶性を有する表示体を備えることを特徴とする情報表示装置。
【請求項１０】
請求項１乃至９のいずれか１項に記載の情報表示装置において、
前記表示制御手段は、前記表示部で一度に表示できない領域が生じる前記ドキュメント画像を、複数のページに分割して表示することを特徴とする情報表示装置。
【請求項１１】
請求項１０に記載の情報表示装置において、
前記複数のページの中から前記表示部で表示するページを順次選択するページ選択部を更に備え、
前記表示制御手段は、前記ページ選択部で選択された前記ページを前記表示部に表示することを特徴とする情報表示装置。
【請求項１２】
請求項１０乃至１１に記載の情報表示装置において、
前記表示制御手段は、
前記表示部で表示する前記ドキュメント画像の終端部のページに続いて、
前記順位が次位の前記ドキュメントデータが示すドキュメント画像の最初のページを、前記表示部の最前面に表示させることを特徴とする情報表示装置。
【請求項１３】
ホストコンピュータと、情報を表示する表示部を備えた情報表示装置とが通信回線を介して接続可能な情報表示システムであって、
ホストコンピュータは、
複数のドキュメントデータを記憶する第１の記憶手段と、
前記ドキュメントデータが示すドキュメント画像を開示する開示手段と、
それぞれの前記ドキュメントデータが前記開示手段で開示されてからの経過時間により順位を規定する順位規定手段と、
前記順位に基き順位テーブルを生成する順位テーブル生成手段と、
前記情報表示装置に対して前記ドキュメントデータおよび前記順位テーブルを送る送信手段とを備え、
情報表示装置は、
前記ホストコンピュータから前記ドキュメントデータおよび前記順位テーブルを受ける受信手段と、
前記ホストコンピュータから送られる複数の前記ドキュメントデータを記憶する第２の記憶手段と、
前記順位テーブルでの順位が最上位である前記ドキュメントデータが示すドキュメント画像を、前記表示部の最前面に表示させる表示制御手段とを備えることを特徴とする情報表示システム。
【請求項１４】
請求項１３に記載の情報表示システムにおいて、
ホストコンピュータは、前記ドキュメントデータの内容を修正するデータ修正手段を更に備え、
前記順位規定手段は、前記経過時間に加えて、前記データ修正手段により前記ドキュメントデータが修正されてからの経過時間により順位を規定することを特徴とする情報表示システム。
【請求項１５】
請求項１３乃至１４に記載の情報表示システムにおいて、
前記順位テーブルは、前記データ修正手段による前記ドキュメントデータの修正を受け、
前記ホストコンピュータから前記情報表示装置に送信されることを特徴とする情報表示システム。
【請求項１６】
請求項１３乃至１５のいずれか１項に記載の情報表示システムにおいて、
前記順位テーブルは、前記開示手段による前記ドキュメントデータの開示を受け、
前記ホストコンピュータから前記情報表示装置に送信されることを特徴とする情報表示システム。
【発明の詳細な説明】
【技術分野】
【０００１】
本発明は、電子文章のようなドキュメントを表示するのに好適な情報表示装置および情報表示システムに関する。
【背景技術】
【０００２】
ホストコンピュータと情報表示端末との間で、同一のデータを同期する方法が知られている。この中で、効率良くデータを同期する方法としては、下記の特許文献１に記載されるように、同期するために処理した履歴を作成して保持し、次回の同期を実施する際は、この履歴に基いて必要な処理を実行していた。
【０００３】
【特許文献１】特開２００２−５５８６４号公報
【発明の開示】
【発明が解決しようとする課題】
【０００４】
しかしながら、従来の方法では、情報表示端末は、同期のために処理されたデータと、その他のデータとを区別しないため、情報表示端末が保持するデータの中から、ホストコンピュータと同期するべく修正されたデータを抽出するためには、情報表示端末のデータリストの中から、更新された日時データ等を参照して検索する必要があった。
【課題を解決するための手段】
【０００５】
上記した課題を解決するために、本発明の情報表示装置は、情報を表示する表示部を備えた情報表示装置であって、ドキュメントデータを入力する入力手段と、複数の前記ドキュメントデータを記憶する記憶手段と、それぞれの前記ドキュメントデータが含むデータの履歴日時の時間的な順序に基いて、前記表示部で表示する順位を規定する順位規定手段と、前記順位において最上位の前記ドキュメントデータが示すドキュメント画像を、前記表示部の最前面に表示させる表示制御手段とを備えることを特徴とする。
上記した発明によれば、入力したドキュメントデータの中から、自身が含む日時データの時間的な順序が最上位であるドキュメントデータのドキュメント画像は、表示部の最前面に表示されるため、更新された最新のドキュメントデータを容易に認知できる。
【０００６】
本発明の情報表示装置では、前記入力手段は、前記ドキュメントデータを一意に特定するデータと前記ドキュメントデータの更新または最終表示の日時とを含む情報データを更に入力すると共に、前記順位規定手段は、前記ドキュメントデータを前記表示部に表示する順位を、前記データの履歴日時と前記更新または最終表示の日時との時間的な順序に基いて、更に規定することが好ましい。
上記した発明によれば、入力手段は、ドキュメントデータを一意に特定するデータと、特定したドキュメントデータの更新または最終表示の日時とを含む情報データを入力すると共に、順位規定手段は、この情報データに対しても表示部で表示する順位を規定できる。
【０００７】
本発明の情報表示装置は、前記ドキュメントデータの入力を要求する信号を生成する信号生成手段と、前記信号を送信する送信手段とを更に備えることが好ましい。
また、本発明の情報表示装置では、前記信号生成手段は、前記記憶手段に記憶された前記ドキュメントデータが含む前記データの履歴日時と、当該ドキュメントデータを特定する前記情報データが含む前記更新または最終表示の日時との時間的な比較に基き、前記信号を生成することが好ましい。
上記した発明によれば、記憶手段に記憶されたドキュメントデータの日時と、このドキュメントデータを特定する情報データが示す日時との時間的な比較に基いて、ドキュメントデータの入力を要求できる。
【０００８】
本発明の情報表示装置は、前記記憶手段に記憶すべき前記ドキュメントデータが記憶可能になるまで、前記記憶手段に記憶されたデータを消去する記憶更新手段を更に備えることが好ましい。
また、本発明の情報表示装置では、前記記憶更新手段は、前記順位が下位の前記ドキュメントデータから順次消去することが好ましい。
上記した発明によれば、記憶手段に記憶すべきドキュメントデータを確実に記憶できる。
【０００９】
本発明の情報表示装置では、前記表示制御手段は、それぞれの前記ドキュメントデータが示すドキュメント画像を、前記順位の下位から上位に重畳して前記表示部に表示させることが好ましい。
上記した発明によれば、表示する順位が上位のドキュメント画像を、このドキュメント画像の順位よりも下位のドキュメント画像に重畳して、表示部の前面に表示できる。
【００１０】
本発明の情報表示装置では、前記ドキュメントデータは、所定の出力装置を駆動するデバイスドライバにより生成されることが好ましい。
上記した発明によれば、デバイスドライバで生成されたドキュメントデータを表示できる情報表示装置であれば、どのような情報表示装置に対しても表示できる。
【００１１】
本発明の情報表示装置では、前記表示部は、記憶性を有する表示体を備えることが好ましい。
上記した発明によれば、表示部に電源が供給されない状態においても、表示状態が視認可能に保持される。
【００１２】
本発明の情報表示装置では、前記表示制御手段は、前記表示部で一度に表示できない領域が生じる前記ドキュメント画像を、複数のページに分割して表示することが好ましい。
また、本発明の情報表示装置は、前記複数のページの中から前記表示部で表示するページを順次選択するページ選択部を更に備え、前記表示制御手段は、前記ページ選択部で選択された前記ページを前記表示部に表示することが好ましい。
更に、本発明の情報表示装置では、前記表示制御手段は、前記表示部で表示する前記ドキュメント画像の終端部のページに続いて、前記順位が次位の前記ドキュメントデータが示すドキュメント画像の最初のページを、前記表示部の最前面に表示させることが好ましい。
上記した発明によれば、ドキュメント画像は、製本されたようにページ単位に分割され、ページを捲るような順序で表示される。
【００１３】
上記した課題を解決するために、本発明の情報表示システムは、ホストコンピュータと、情報を表示する表示部を備えた情報表示装置とが通信回線を介して接続可能な情報表示システムであって、ホストコンピュータは、複数のドキュメントデータを記憶する第１の記憶手段と、前記ドキュメントデータが示すドキュメント画像を開示する開示手段と、それぞれの前記ドキュメントデータが前記開示手段で開示されてからの経過時間により順位を規定する順位規定手段と、前記順位に基き順位テーブルを生成する順位テーブル生成手段と、前記情報表示装置に対して前記ドキュメントデータおよび前記順位テーブルを送る送信手段とを備え、情報表示装置は、前記ホストコンピュータから前記ドキュメントデータおよび前記順位テーブルを受ける受信手段と、前記ホストコンピュータから送られる複数の前記ドキュメントデータを記憶する第２の記憶手段と、前記順位テーブルでの順位が最上位である前記ドキュメントデータが示すドキュメント画像を、前記表示部の最前面に表示させる表示制御手段とを備えることを特徴とする。
上記した発明によれば、情報表示装置は、ホストコンピュータが生成して情報表示装置に送られた順位テーブルに基いて、ドキュメントデータを表示部の最前面に表示するため、更新された最新のドキュメントデータを容易に認知できる。
【００１４】
本発明の情報表示システムは、ホストコンピュータは、前記ドキュメントデータの内容を修正するデータ修正手段を更に備え、前記順位規定手段は、前記経過時間に加えて、前記データ修正手段により前記ドキュメントデータが修正されてからの経過時間により順位を規定することを特徴とする情報表示システム。
上記した発明によれば、ホストコンピュータ上でドキュメントデータが修正された場合、ドキュメントデータの順位データ上での順位は、ドキュメントデータが修正されてからの経過時間に基いて反映される。
【００１５】
本発明の情報表示システムでは、前記順位テーブルは、前記データ修正手段による前記ドキュメントデータの修正を受け、前記ホストコンピュータから前記情報表示装置に送信されても良い。
また、本発明の情報表示システムでは、前記順位テーブルは、前記開示手段による前記ドキュメントデータの開示を受け、前記ホストコンピュータから前記情報表示装置に送信されても良い。
上記した発明によれば、ホストコンピュータ上でドキュメントデータが修正された場合や、ホストコンピュータ上でドキュメントデータが開示された場合、順位データは、情報表示装置に送信される。
【発明を実施するための最良の形態】
【００１６】
以下、本発明の実施形態を図面に基いて説明する。
（実施形態１）
【００１７】
図１は、本実施形態１に係る情報表示システム１を構成する情報表示装置１０およびホストコンピュータ２０の構成を示す外観構成図である。この情報表示装置１０は、略板状の本体１００の表面上に、表示記憶性を有する記憶性表示体１１５と、この情報表示装置１０を操作する操作ボタン１２５とを具備する。また、この情報表示装置１０の一方の側面には、図示を略したＵＳＢ（Universal Serial Bus）端子を有する。また、ホストコンピュータ２０は、本体部２２と、モニタ２６と、キーボード２４とを具備する。また、本体部２２の前面には、ディスクドライブ２３と情報表示装置１０と同様のＵＳＢ端子とを有する。これらのＵＳＢ端子は、ＵＳＢケーブル３０で互いに接続されている。
この情報表示システム１では、ホストコンピュータ２０上で操作するドキュメントは、モニタ２６上にドキュメント画像２８として表示される。加えて、このドキュメント画像２８と同一の内容を示すドキュメント画像１３０Ａは、情報表示装置１０の記憶性表示体１１５上に、モニタ２６上のドキュメント画像２８と同期して表示される。例えば、使用者が、ホストコンピュータ２０上で「文章その２」のドキュメント画像（図示せず）を表示させた場合、記憶性表示体１１５には、「文章その２」のドキュメント画像１３０Ｂが最前面に表示される。次に、使用者が、ホストコンピュータ２０上で「文章その１」のドキュメント画像２８を表示させた場合、記憶性表示体１１５には、「文章その２」のドキュメント画像１３０Ｂに重畳して、「文章その１」のドキュメント画像１３０Ａが最前面に表示される。
更に、使用者は、操作ボタン１２５を操作することにより、上位に表示される「文章その１」のドキュメント画像１３０Ａのみを記憶性表示体１１５の画面に拡大した表示や、「文章その１」のドキュメント画像１３０Ａを前面に表示して、「文章その２」のドキュメント画像１３０Ｂを含む下位のドキュメント画像の一部を、ドキュメント画像１３０Ａの下部に重畳した表示を選択できる。
【００１８】
＜情報表示システム１のハードウェア構成＞
次に、情報表示システム１のハードウェア構成について説明する。図２は、情報表示装置１０のハードウェア構成を示す構成図である。この図２に示すように、情報表示装置１０は、ＣＰＵ（Central  Processing  Unit）１５０Ａ、ＲＡＭ（Random  Access  Memory）１５２Ａ、ＲＯＭ（Read  Only  Memory）１５６Ａ、記憶装置１５４Ａ、入力インターフェイス１５８Ａ、表示インターフェイス１６０Ａおよび通信インターフェイス１６２Ａを備えて構成される。これらの各部は、バス１６６Ａで互いに信号を授受可能に接続されている。
【００１９】
ＣＰＵ１５０Ａは、ＲＯＭ１５６Ａに格納された基本制御プログラムや、ＲＯＭ１５６Ａおよび記憶装置１５４Ａに格納されたアプリケーションプログラムなどの各種プログラム及びデータを読み込み、それら各種プログラム及びデータをＲＡＭ１５２Ａ内に設けられるワークエリアに展開実行して、情報表示装置１０が備える各部の制御を実行する。ここで、記憶装置１５４Ａとしては、フラッシュメモリやハードディスク等のストレージデバイスを採用できる。
入力インターフェイス１５８Ａには、操作ボタン１２５が接続されている。また、通信インターフェイス１６２Ａには、ＵＳＢコントローラ１６４Ａが接続されている。更に、表示インターフェイス１６０Ａには、記憶性表示体１１５が接続されている。
【００２０】
この記憶性表示体は、電気泳動方式による表示体を採用している。ここで、電気泳動方式による記憶性表示体について図示を略して概説する。電気泳動方式の記憶性表示体は、電位差による電気泳動により移動する性質を有する有機あるいは無機の粒子（電気泳動粒子）が内部に封入されたマイクロカプセルを、２種類の色にそれぞれ着色して記憶性表示体の透明電極を有する基板間に混入させて製造する。製造された記憶性表示体に対して、透明電極から電圧印加することによって、電気泳動粒子は一方の電極上に堆積するため、マイクロカプセルは同一方向に揃う。従って、記憶性表示体の観察者は、マイクロカプセル上に着色された一方の色を見ることになる。また、透明電極の印加電圧を逆極とすることで、マイクロカプセルは他方の向きとなるため、記憶性表示体の観察者は、マイクロカプセル上に着色された他方の色を見ることになる。更に、電圧印加により整列したマイクロカプセルは、印加した電圧を解除されても、双方の整列方向が安定して維持されるため、記憶性表示体における表示内容は保持される。従って、電気泳動方式の記憶性表示体は、表示信号と、駆動電圧とが供給されることで、表示信号に従った表示を行い、以降、記憶性表示体の表示内容は、表示信号および駆動電圧が与えられなくても保持される。
【００２１】
次に、図３は、ホストコンピュータ２０のハードウェア構成を示す構成図である。このホストコンピュータ２０は、情報表示装置１０と同様に、ＣＰＵ（Central  Processing  Unit）１５０Ｂ、ＲＡＭ（Random  Access  Memory）１５２Ｂ、ＲＯＭ（Read  Only  Memory）１５６Ｂ、記憶装置１５４Ｂ、入力インターフェイス１５８Ｂ、表示インターフェイス１６０Ｂおよび通信インターフェイス１６２Ｂを備えて構成される。加えて、これらの各部は、バス１６６Ｂで互いに信号を授受可能に接続されている。尚、これらのハードウェアは、情報表示装置１０と同じ機能を有するため、各部の機能についての説明は省略する。また、記憶装置１５４Ｂには、ハードディスク等の大容量のデータが記憶可能なストレージデバイスを採用する。
入力インターフェイス１５８Ｂには、キーボード２４とディスクドライブ２３とが接続されている。このディスクドライブ２３は、ＣＤ−ＲＯＭ等の記録媒体に記録されたドキュメントデータを読取る。また、表示インターフェイス１６０Ｂには、モニタ２６が接続されている。更に、通信インターフェイス１６２Ｂには、ＵＳＢコントローラ１６４Ｂが接続されている。
＜情報表示システム１の機能構成＞
【００２２】
次に、情報表示システム１の機能構成について説明する。図４は、ホストコンピュータ２０の機能構成を示す図である。このホストコンピュータ２０は、記憶手段１９０、データ修正手段１９１、開示手段１９２、出力手段１９３、情報データ生成手段１９７、デバイスドライバ２１０および通信手段１９６を備える。
記憶手段１９０は、記憶装置１５４Ｂで構成され、複数のドキュメントデータをデータファイル形式で記憶する。
開示手段１９２は、例えば、Ｍｉｃｒｏｓｏｆｔ社製のＷｏｒｄやＩｎｔｅｒｎｅｔ  Ｅｘｐｌｏｒｅｒのように、ホストコンピュータ２０にインストールされ、所定の形式で記述されたデータファイルからコンテンツを開示するソフトウェアである。この開示手段は、記憶手段１９０に記憶されたドキュメントデータを読み込み、モニタ２６等の出力手段１９３にドキュメントデータが示すドキュメント画像を開示する。
データ修正手段１９１は、ドキュメントデータを修正するソフトウェアであり、例えば、前記したＷｏｒｄに具備されたデータ修正機能である。即ち、使用者は、モニタ２６に出力されたドキュメント画像を見ながら、キーボード２４等を操作することによりドキュメント画像を修正できる。修正されたドキュメント画像は、ソフトウェアの所定の処理によりドキュメントデータに反映された後、記憶手段１９０に記憶されていたデータファイルと同一のファイル名で記憶手段１９０に上書きされる。
【００２３】
デバイスドライバ２１０は、ホストコンピュータ２０にインストールされたソフトウェアであり、記憶手段１９０にファイル形式で記憶されたドキュメントデータを、所定のデバイスでドキュメント画像を出力できるデータ形式に変換して、送信部１９８に送る。
この変換は、情報表示装置１０からドキュメントデータの送信要求を受けた場合等に実行される。ここで、デバイスは、プリンタのような物理デバイスや、Ａｄｏｂｅ社製のＡｃｒｏｂａｔのような仮想的なデバイスであっても良い。デバイスドライバ２１０により変換されたドキュメントデータ２００（図６）は、ファイルの属性情報を示す情報データ２０１と、ドキュメント画像を示すコンテンツデータ２０８とで構成される。
この情報データ２０１は、データ長さが規定され、ファイル名２０２、ファイル更新日時２０４およびファイルサイズ２０６を示すデータにより構成される。また、コンテンツデータ２０８は、所定の規則により記述されているため、この規則に従いデータを処理することで、ドキュメント画像を復元できる。ここでデバイスドライバ２１０がページプリンタのドライバである場合、所定の規則としては、「ＥＳＣ／ＰＡＧＥ」（セイコーエプソン社が開発したページプリンタ用の制御コード）等のプリンタコードを採用できる。
【００２４】
情報データ生成手段１９７は、ホストコンピュータ２０でドキュメントデータ２００が開示された場合や、開示されたドキュメントデータ２００がデータ修正手段１９１で修正された場合に、情報データ２０１を生成し、送信部１９８に送る。この情報データ２０１は、ドキュメントデータ２００の情報データ２０１と略同じ構成である。即ち、ファイル名と、ファイルが更新または開示された日時と、ファイルサイズとを示すデータで構成される。尚、この情報データ生成手段１９７で生成される情報データ２０１は、ドキュメントデータ２００の情報データ２０１と近似した構成である必要はなく、開示したドキュメントデータ２００のファイル名と開示または更新日時とが、情報表示装置１０側で識別できるデータであれば、どのようなデータ構成であっても良い。
通信手段１９６は、ＵＳＢコントローラ１６４Ｂで構成され、送信部１９８および受信部１９９を具備する。この通信手段１９６は、ＵＳＢの規格に従い、データを変調および復調することで、ＵＳＢケーブル３０で接続された情報表示装置１０の後述するＵＳＢコントローラ１６４Ａを介して通信できる。
尚、これらの各機能は、前記したＣＰＵ１５０ＢやＲＡＭ１５２Ｂ等からなるハードウェア資源と、ＲＯＭ１５６Ｂや記憶装置１５４Ｂに記憶されたソフトウェアとが有機的に協働することにより、それぞれの機能を実現している。
【００２５】
次に、情報表示装置１０の機能構成について説明する。図５は、情報表示装置１０の機能構成を示す図である。この情報表示装置１０は、通信手段１７０、記憶手段１７６、記憶更新手段１７８、順位規定手段１８２、順位テーブル管理手段１８３、信号生成手段１８４、順位テーブル１８０、表示制御手段１８６、ページ選択部１２０および表示部１１０を備える。
通信手段１７０は、ホストコンピュータ２０の通信手段１９６と同様に、ＵＳＢコントローラ１６４Ａで構成され、ホストコンピュータ２０に対する送信手段である送信部１７４と、ホストコンピュータ２０からドキュメントデータ２００および情報データ２０１を入力する入力手段である受信部１７２とを具備する。
記憶手段１７６は、記憶装置１５４Ａで構成され、複数のドキュメントデータ２００を記憶する。
記憶更新手段１７８は、ホストコンピュータ２０から送られるドキュメントデータ２００を記憶手段１７６に記憶させる。加えて、記憶手段１７６の記憶容量の残量が、記憶するドキュメントデータ２００の容量よりも少ない場合は、後述する順位テーブル１８０の最下位のドキュメントデータ２００を記憶手段１７６から削除する機能も備える。
順位規定手段１８２は、ホストコンピュータ２０から送られるドキュメントデータ２００のファイル更新日時２０４に関するデータや、情報データ２０１のファイル開示日時またはファイル更新日時に関するデータに基いて、表示部１１０で表示する順位を規定する。
順位テーブル管理手段１８３は、規定された順位を順位テーブル１８０に反映すると共に、順位テーブルを管理する。ここで、順位テーブル１８０のデータ構成について、図６も参照して説明する。
【００２６】
図６は、順位テーブル１８０を構成するデータを示す構成図である。順位テーブル１８０は、順位を示す順位列２１２と、順位規定データの先頭アドレスを指し示すアドレス列２１４とで構成される。この順位規定データ２２０は、ドキュメントデータ２００をホストコンピュータ２０から受信した日時を示すダウンロード日時２２２と、表示部１１０で最後に表示した最終表示日時２２４と、記憶手段１７６上におけるドキュメントデータ２００の先頭位置を指し示すアドレス２２６とで構成され、記憶手段１７６に記憶されているドキュメントデータ２００と一意に対応する。尚、順位テーブル１８０および順位規定データ２２０は、図６で示した構成に限定されるものではない。例えば、本実施形態１のように、順位テーブル１８０としてリスト構造の形態で存在するのではなく、ドキュメントデータ２００の所定の領域に順位等が書き込まれ、順位を示すテーブルが、必要に応じて、その都度仮想的に形成されても良い。
【００２７】
図５に戻り、信号生成手段１８４は、ドキュメントデータの送信を要求する信号を作成して、送信部１７４に送る。この信号は、送信部１７４からホストコンピュータ２０に送信される。
表示制御手段１８６は、順位テーブル１８０の順位が最上位であるドキュメントデータ２００が示すドキュメント画像を、表示部１１０の最前面で表示する。ここで、順位テーブル１８０の順位が変化した場合は、それまで最前面に表示していたドキュメント画像の上に、最上位になったドキュメント画像を重畳して表示する。
ページ選択部１２０は、ドキュメント画像を読み易いサイズで表示すると共に、表示部１１０で一度に表示できない場合、複数ページに分割して表示する。分割されたページは、操作ボタン１２５を押下することで切り替えて表示される。
尚、これらの各機能についても、前記したＣＰＵ１５０ＡやＲＡＭ１５２Ａ等からなるハードウェア資源と、ＲＯＭ１５６Ａや記憶装置１５４Ａに記憶されたソフトウェアとが有機的に協働することにより、それぞれの機能を実現している。
＜情報表示システム１の作用＞
【００２８】
以上の構成を有する情報表示システム１のホストコンピュータ２０と、情報表示装置１０との間で授受するデータの流れについて説明する。図７は、ホストコンピュータ２０と、情報表示装置１０との間のデータの流れを示す説明図である。
最初に、ドキュメント画像は、ホストコンピュータ２０側の開示手段１９２で開示されるか、またはデータ修正手段１９１で修正される（ステップＳ２４０）。
上記した動作を受けて、情報データ２０１は、情報データ生成手段１９７で生成され、送信部１９８から情報表示装置１０に送信される（ステップＳ２４２）。
情報データ２０１は、情報表示装置１０の受信部１７２で受信され、各機能部で処理される（ステップＳ２４４）。情報表示装置１０における情報データ２０１の処理の詳細は後述する。
前記処理の結果、情報表示装置１０がドキュメントデータ２００を必要と判断した場合、ドキュメントデータ２００の送信を要求する信号が信号生成手段１８４で生成され、送信部１７４からホストコンピュータ２０に送信される（ステップＳ２４５）。尚、情報表示装置１０がドキュメントデータ２００を必要と判断しない場合、以降の処理は実行されず終了する。
ホストコンピュータ２０は、前記信号を受けて。デバイスドライバ２１０でドキュメントデータ２００を出力する（ステップＳ２４６）。
出力されたドキュメントデータ２００は、送信部１９８から情報表示装置１０に送信される（ステップＳ２４７）。
ドキュメントデータ２００は、情報表示装置１０の受信部１７２で受信され、各機能部で処理される（ステップＳ２４８）。情報表示装置１０におけるドキュメントデータ２００の処理の詳細は後述する。
【００２９】
ここで、前記した情報表示装置１０における情報データ２０１の処理（ステップＳ２４４）について、図８を参照して説明する。この図８は、情報表示装置１０が情報データ２０１を受信処理するフローチャートである。
最初に、受信部１７２は、ホストコンピュータ２０の送信部１９８から送信される情報データ２０１を受信する（ステップＳ２７０）。
次に、順位規定手段１８２は、情報データ２０１からドキュメントデータ２００のファイル名２０２を取得する（ステップＳ２７２）。
続いて、順位規定手段１８２は、前記ファイル名２０２と同一のファイル名が順位テーブル１８０に記載されているか否かを調べる（ステップＳ２７４）。
ここで、前記ドキュメントデータ２００と同一のファイル名が順位テーブル１８０に記載されていない場合（ステップＳ２７６でＮｏ）、ホストコンピュータ２０にドキュメントデータ２００の送信を要求する処理（ステップＳ２４５）を実行して終了する。
また、前記ドキュメントデータ２００と同一のファイル名が順位テーブル１８０に記載されている場合（ステップＳ２７６でＹｅｓ）、順位規定手段１８２は、情報データ２０１からファイル更新日時２０４のデータを取得する（ステップＳ２７８）。
【００３０】
続いて、順位規定手段１８２は、情報データ２０１のファイル更新日時２０４と、順位テーブル１８０のデータから取得できるファイル更新日時２０４とを比較する（ステップＳ２８０）。
ここで、情報データ２０１のファイル更新日時２０４が、順位テーブル１８０のデータから取得したファイル更新日時２０４よりも新しい場合（ステップＳ２８２でＹｅｓ）、ホストコンピュータ２０にドキュメントデータ２００の送信を要求する処理（ステップＳ２４５）を実行して終了する。
また、順位テーブル１８０のデータから取得したファイル更新日時２０４が、情報データ２０１のファイル更新日時２０４よりも新しい場合（ステップＳ２８２でＮｏ）、順位テーブル１８０の最上位に、情報データ２０１の示すドキュメントデータ２００を配置するべく、順位テーブル管理手段に指示する（ステップＳ２８４）。
次に、表示制御手段１８６は、前記ドキュメントデータ２００のコンテンツデータ２０８を記憶手段１７６から取得する（ステップＳ２８６）。
続いて、表示制御手段１８６は、読み込んだコンテンツデータ２０８が示すドキュメント画像１３０を、表示部１１０の最前面に表示して終了する（ステップＳ２８８）。
【００３１】
引き続いて、情報表示装置１０におけるドキュメントデータ２００の処理について、図９を参照して説明する。この図９は、情報表示装置１０がドキュメントデータ２００を受信処理するフローチャートである。
最初に、受信部１７２は、ホストコンピュータ２０の送信部１９８から送信されたドキュメントデータ２００を受信する（ステップＳ２５０）。
次に、記憶更新手段１７８は、受信したドキュメントデータ２００と同じファイル名２０２を持つドキュメントデータ２００が、記憶手段１７６に記憶されているか否かを調べる（ステップＳ２５１）。
ここで、受信したドキュメントデータ２００は、同じファイル名２０２で記憶手段１７６に記憶されている場合、即ち、受信したドキュメントデータ２００は、新規データでない場合（ステップＳ２５１でＮｏ）、ドキュメントデータ２００を記憶手段１７６に記憶する処理（ステップＳ２５８）に進み、既存のドキュメントデータ２００は、受信したドキュメントデータ２００で上書きされる。
また、受信したドキュメントデータ２００は、同じファイル名２０２で記憶手段１７６に記憶されていない場合、即ち、受信したドキュメントデータ２００は、新規データである場合（ステップＳ２５１でＹｅｓ）、記憶更新手段１７８は、記憶手段１７６で記憶可能なデータの残容量と、ドキュメントデータ２００の容量とを比較する（ステップＳ２５２）。
前記比較の結果、記憶手段１７６の残容量が、ドキュメントデータ２００の容量よりも少ない場合（ステップＳ２５４でＮｏ）、順位テーブル１８０の順位が最下位のドキュメントデータを削除し（ステップＳ２５６）、記憶手段１７６で記憶可能なデータの残容量と、ドキュメントデータ２００の容量とを比較する処理（ステップＳ２５２）に戻る。
また、前記比較した結果、記憶手段１７６の残容量が、ドキュメントデータ２００の容量よりも多い場合（ステップＳ２５４でＹｅｓ）、ドキュメントデータ２００を記憶手段１７６に記憶する（ステップＳ２５８）。
【００３２】
次に、順位規定手段１８２は、ドキュメントデータ２００と、このドキュメントデータに対応した順位規定データ２２０の中から、日時に関するデータ（ダウンロード日時２２２、最終表示日時２２４、ファイル更新日時２０４）を取得する（ステップＳ２６０）。
続いて、順位規定手段１８２は、抽出した日時に関するデータと、順位テーブル１８０の最上位データの日時に関するデータとをそれぞれ比較する（ステップＳ２６２）。
ここで、ドキュメントデータ２００の日時データの中で、順位テーブル１８０の最上位データの日時に関するデータよりも新しいデータが存在する場合（ステップＳ２６４でＹｅｓ）、順位テーブル管理手段１８３は、ドキュメントデータ２００が最上位になるように、順位テーブル１８０を変更する（ステップＳ２６６）。
続いて、表示制御手段１８６は、ドキュメントデータ２００のコンテンツデータ２０８が示すドキュメント画像１３０を、表示部１１０の最前面に表示して終了する（ステップＳ２６８）。
また、順位テーブル１８０の最上位データの日時の方が、ドキュメントデータ２００の日時データよりも新しい場合（ステップＳ２６４でＮｏ）、順位テーブル管理手段１８３は、このドキュメントデータ２００を順位テーブル１８０の適切な順位の位置に配置して終了する（ステップＳ２６５）。
【００３３】
ここで、ページ選択部１２０によるページの切り替えについて、図１０を参照して説明する。図１０は、操作ボタン１２５のページ送り操作により、表示部１１０の最前面に表示されるページの遷移を説明する図である。即ち、最初に情報表示装置１０の記憶性表示体１１５の最前面に「文章その１」の１ページ目コンテンツ２３０が表示されている場合、ページ送りを行うことで、「文章その１」の２ページ目コンテンツ２３１および３ページ目コンテンツ２３２が順に最前面に表示される。ここで、「文章その１」は、３ページに分割された場合、更にページ送りを行うことで、順位テーブル１８０で「文章その１」の次位である「文章その２」の１ページ目コンテンツ２３３が前面に表示され、ページ送りにより、「文章その２」の２ページ目コンテンツ２３４が次に最前面に表示される。同様にして、順位テーブル１８０で最後の順位の文章の最後のページが前面に表示された後、表示の切り替えを終了する。
【００３４】
以上述べたような実施形態１によれば、次のような効果がある。
（１）表示部１１０に記憶性表示体１１５を採用するため、情報表示装置１０を低消費電力で駆動できることに加え、情報表示装置１０の使用者は、情報表示装置１０に電源を供給しない場合でもドキュメント画像１３０を読める。
（２）ページ選択部１２０のページの切り替えにより、ドキュメント画像１３０を読み易い画像に分割すると共に、順序良く表示できる。
（実施形態２）
【００３５】
次に、本発明の実施形態２について、図１１を参照して説明する。尚、以下の説明では、既に説明した部分と同一な部分については、同一符号を付してその説明を省略する。
図１１は、本実施形態２における情報表示システム１の機能構成図である。前記した実施形態１では、順位規定手段１８２、順位テーブル管理手段１８３および順位テーブル１８０は、情報表示装置１０側で具備していたが、本実施形態２では、順位規定手段１９４、順位テーブル管理手段１９５および順位テーブル３１０は、ホストコンピュータ２０側で具備する。また、前記した実施形態１では、ホストコンピュータ２０から情報表示装置１０に情報データ２０１が送信されたが、本実施形態２では、ホストコンピュータ２０で生成された順位テーブル３１０は、必要に応じて情報表示装置１０に送信される。
図１２は、本実施形態２における順位テーブル３１０の構成を示す構成図である。前記した実施形態１の順位テーブル１８０では、ドキュメントデータは、データが格納されている先頭アドレスで管理していたが、本実施形態２では、順位テーブル３１０におけるドキュメントデータ２００を特定する情報は、ファイル名列３１４に入るファイル名で管理する。加えて、順位テーブル３１０は、ファイル更新日時列３１６およびファイルサイズ列３１８を具備して、ファイル更新日時およびファイルサイズも管理する。
【００３６】
次に、本実施形態２における情報表示システム１のホストコンピュータ２０と、情報表示装置１０との間で授受するデータの流れについて説明する。図１３は、ホストコンピュータ２０と、情報表示装置１０との間のデータの流れを示す説明図である。
最初に、ドキュメント画像は、ホストコンピュータ２０側の開示手段１９２で開示されるか、またはデータ修正手段１９１で修正される（ステップＳ２４０）。
上記した動作を受けて、順位テーブル３１０は、順位テーブル管理手段１９５で更新され、送信部１９８から情報表示装置１０に送信される（ステップＳ２４１）。
順位テーブル３１０は、情報表示装置１０の受信部１７２で受信され、各機能部で処理される（ステップＳ２４３）。情報表示装置１０における順位テーブル３１０の処理の詳細は後述する。
前記処理の結果、情報表示装置１０がドキュメントデータ２００を必要と判断した場合、ドキュメントデータ２００の送信を要求する信号が信号生成手段１８４で生成され、送信部１７４からホストコンピュータ２０に送信される（ステップＳ２４５）。尚、情報表示装置１０がドキュメントデータ２００を必要と判断しない場合、以降の処理は実行されず終了する。
【００３７】
ここで、前記した情報表示装置１０における順位テーブル３１０の処理（ステップＳ２４３）について、図１４を参照して説明する。この図１４は、情報表示装置１０が順位テーブル３１０を受信処理するフローチャートである。
最初に、受信部１７２は、ホストコンピュータ２０の送信部から送信される順位テーブル３１０を受信する（ステップＳ２９０）。
次に、記憶更新手段１７８は、順位テーブル３１０の最上位のドキュメントデータ２００に関する情報を取得する（ステップＳ２９２）。
続いて、記憶更新手段１７８は、前記ドキュメントデータ２００が記憶手段１７６に記憶されているか否かを調べる（ステップＳ２９４）。
ここで、このドキュメントデータ２００が記憶手段１７６に記憶されていない場合（ステップＳ２９４でＮｏ）、ホストコンピュータ２０にドキュメントデータ２００の送信を要求する処理（ステップＳ２４５）を実行して終了する。
また、このドキュメントデータ２００が記憶手段１７６に記憶されている場合（ステップＳ２９４でＹｅｓ）、記憶更新手段１７８は、順位テーブル３１０のファイル更新日時３１６と、記憶手段１７６に記憶されたドキュメントデータ２００のファイル更新日時２０４とを比較する（ステップＳ２９６）。
【００３８】
ここで、順位テーブル３１０のファイル更新日時３１６が、記憶手段１７６に記憶されたドキュメントデータ２００のファイル更新日時２０４よりも新しい場合（ステップＳ２９８でＹｅｓ）、ホストコンピュータ２０にドキュメントデータ２００の送信を要求する処理（ステップＳ２４５）を実行して終了する。
また、記憶手段１７６に記憶されたドキュメントデータ２００のファイル更新日時２０４が、順位テーブル３１０のファイル更新日時３１６よりも新しい場合（ステップＳ２９８でＮｏ）、表示制御手段１８６は、このドキュメントデータ２００のコンテンツデータ２０８を記憶手段１７６から取得して、表示部１１０の最前面に表示して終了する（ステップＳ３００）。
【００３９】
以上述べたような実施形態２によれば、実施形態１で述べた（１）および（２）の効果に加え、次のような効果を奏することができる。
（３）ホストコンピュータ２０と情報表示装置１０との通信が遮断されている場合や、情報表示装置１０が起動されていない場合であっても、ホストコンピュータ２０でドキュメントデータを開示した履歴は、ホストコンピュータ２０内の順位テーブル３１０に反映される。
（４）ホストコンピュータ２０と情報表示装置１０とが共に起動状態で、通信可能に接続された場合、接続されるまでにホストコンピュータ２０内で生成された順位テーブル３１０は、情報表示装置１０に送信されるため、表示部１１０での表示は、この順位テーブル３１０に従って更新される。
【００４０】
以上、本発明を図示した実施形態に基づいて説明したが、本発明は、これに限定されるものではなく、以下に述べるような変形例も想定できる。
（１）ホストコンピュータ２０と情報表示装置１０との通信は、ＵＳＢに限定されず、ネットワークを介した通信でも良い。更に、ケーブル３０を介した通信に限らず、無線や赤外光による通信でも良い。
（２）記憶性表示体は、電気泳動方式に限らず、コレステリック液晶のような、記憶性を備えた表示体でも良い。
（３）ドキュメントデータ２００は、デバイスドライバ２１０で生成されたデータ形式に限らない。例えば、情報表示装置１０側に開示手段１９２を具備して、この開示手段１９２がドキュメントデータ２００の示すドキュメント画像を表示部１１０に開示しても良い。
【図面の簡単な説明】
【００４１】
【図１】本発明の実施形態１に係る情報表示システムを構成する情報表示装置およびホストコンピュータの構成を示す外観構成図。
【図２】実施形態１に係る情報表示装置のハードウェア構成を示す構成図。
【図３】実施形態１に係るホストコンピュータのハードウェア構成を示す構成図。
【図４】実施形態１に係るホストコンピュータの機能構成を示す構成図。
【図５】実施形態１に係る情報表示装置の機能構成を示す構成図。
【図６】実施形態１に係る順位テーブルを構成するデータを示す構成図。
【図７】実施形態１に係るホストコンピュータと、情報表示装置との間のデータの流れを示す説明図。
【図８】実施形態１に係る情報表示装置による情報データの受信処理を示すフローチャート。
【図９】実施形態１に係る情報表示装置によるドキュメントデータの受信処理を示すフローチャート。
【図１０】実施形態１に係る操作ボタンの操作によるページの遷移を示す説明図。
【図１１】実施形態２に係る情報表示システムの機能構成を示す構成図。
【図１２】実施形態２に係る順位テーブルの構成を示す構成図。
【図１３】実施形態２に係るホストコンピュータと情報表示装置との間のデータの流れを示す説明図。
【図１４】実施形態２に係る情報表示装置による順位テーブルの受信処理するフローチャート。
【符号の説明】
【００４２】
１０…情報表示装置、２０…ホストコンピュータ、２２…本体部、２３…ディスクドライブ、２４…キーボード、２６…モニタ、２８…ドキュメント画像、３０…ＵＳＢケーブル、１００…本体、１１０…表示部、１１５…記憶性表示体、１２０…ページ選択部、１２５…操作ボタン、１３０…ドキュメント画像、１５０Ａ，１５０Ｂ…ＣＰＵ、１５２Ａ，１５２Ｂ…ＲＡＭ、１５４Ａ，１５４Ｂ…記憶装置、１５６Ａ，１５６Ｂ…ＲＯＭ、１５８Ａ，１５８Ｂ…入力インターフェイス、１６０Ａ，１６０Ｂ…表示インターフェイス、１６２Ａ，１６２Ｂ…通信インターフェイス、１６４Ａ，１６４Ｂ…ＵＳＢコントローラ、１６６Ａ，１６６Ｂ…バス、１７０…通信手段、１７２…受信部、１７４…送信部、１７６…記憶手段、１７８…記憶更新手段、１８０…順位テーブル、１８２…順位規定手段、１８３…順位テーブル管理手段、１８４…信号生成手段、１８６…表示制御手段、１９０…記憶手段、１９１…データ修正手段、１９２…開示手段、１９３…出力手段、１９４…順位規定手段、１９５…順位テーブル管理手段、１９６…通信手段、１９７…情報データ生成手段、１９８…送信部、１９９…受信部、２００…ドキュメントデータ、２０１…情報データ、２０２…ファイル名、２０４…ファイル更新日時、２０６…ファイルサイズ、２０８…コンテンツデータ、２１０…デバイスドライバ、２１２…順位列、２１４…アドレス列、２２０…順位規定データ、２２２…ダウンロード日時、２２４…最終表示日時、２２６…アドレス、２３０〜２３２…「文章その１」コンテンツ、２３３，２３４…「文章その２」コンテンツ、２３５，２３６…「文章その３」コンテンツ、３１０…順位テーブル、３１４…ファイル名列、３１６…ファイル更新日時列、３１８…ファイルサイズ列。
【図１】
2006146386.tif 000003
【図２】
2006146386.tif 000004
【図３】
2006146386.tif 000005
【図４】
2006146386.tif 000006
【図５】
2006146386.tif 000007
【図６】
2006146386.tif 000008
【図７】
2006146386.tif 000009
【図８】
2006146386.tif 000010
【図９】
2006146386.tif 000011
【図１０】
2006146386.tif 000012
【図１１】
2006146386.tif 000013
【図１２】
2006146386.tif 000014
【図１３】
2006146386.tif 000015
【図１４】
2006146386.tif 000016